(57)【要約】【課題】印刷専門アプリケーションを用いることなく、異なる分版方式で作成した分版データを重ねて印刷する。【解決手段】プリンタードライバーがインストールされたユーザーＰＣのＣＰＵは、アプリケーションソフトウェアから１ページ目と２ページ目とを含む印刷対象データを受け取り、１ページ目を第１分版方式で分版して第１分版データを作成し、２ページ目を第１分版方式とは異なる第２分版方式で分版して第２分版データを作成する。そして、第１分版データと第２分版データとを同じ印刷媒体上に重ねて印刷させるジョブを生成する。【選択図】図４
2013114385.tif 000002
【特許請求の範囲】
【請求項１】
アプリケーションソフトウェアから１ページ目と２ページ目とを含む印刷対象データを受け取るデータ受け取り手段と、
前記印刷対象データの１ページ目を第１分版方式で分版して第１分版データを作成し、前記印刷対象データの２ページ目を第１分版方式とは異なる第２分版方式で分版して第２分版データを作成する分版手段と、
前記第１分版データと前記第２分版データとを同じ印刷媒体上に重ねて印刷させるジョブを生成するジョブ生成手段と、
を備えた情報処理装置。
【請求項２】
前記分版手段は、前記第１分版方式及び前記第２分版方式の一方を予めユーザーが選択した特殊色で分版する方式とし、前記第１分版方式及び前記第２分版方式の残りの一方をモノクロ又はカラーで分版する方式とする、
請求項１に記載の情報処理装置。
【請求項３】
前記ジョブ生成手段は、前記第１分版データと前記第２分版データとを同じ印刷媒体上に予め印刷設定画面でユーザーが設定した順番で重ねて印刷させるジョブを生成する、
請求項１又は２に記載の情報処理装置。
【請求項４】
前記ジョブ生成手段は、前記第１分版データと前記第２分版データとを同時に同じ印刷媒体上に印刷させるジョブを生成する、
請求項１〜３のいずれか１項に記載の情報処理装置。
【請求項５】
前記ジョブ生成手段は、前記第１分版データ及び前記第２分版データの一方を印刷媒体上に印刷したあと該印刷媒体をバックフィードし、その後前記第１分版データ及び前記第２分版データの残りの一方を前記印刷媒体に重ねて印刷させるジョブを生成する、
請求項１〜３のいずれか１項に記載の情報処理装置。
【請求項６】
１又は複数のコンピューターを、請求項１〜５のいずれか１項に記載の情報処理装置の各手段として機能させるためのプログラム。
【発明の詳細な説明】
【技術分野】
【０００１】
本発明は、情報処理装置及びそのプログラムに関する。
【背景技術】
【０００２】
従来、メタリックインクやホワイトインクなどの特殊色インクを用いて用紙に印刷を行うインクジェットプリンターが知られている（例えば、特許文献１参照）。
【先行技術文献】
【特許文献】
【０００３】
【特許文献１】特開２０１０−１９４８４７号公報
【発明の概要】
【発明が解決しようとする課題】
【０００４】
ところで、インクジェットプリンターで特殊色インクを用いて印刷する際には、ＤＴＰで作ったベクターデータをパソコン側でラスタライズするＲＩＰのような印刷専門アプリケーションを使用することが考えられる。こうした印刷専門アプリケーションは、独自でプリンターにデータを伝達し印刷制御を行うため、プリンタードライバーの制限を受けずに、特殊色による版を重ねて印刷することが可能となる。
【０００５】
しかしながら、印刷専門アプリケーションではなく、一般的なアプリケーションを使用して印刷する場合、特殊色による版を重ねて印刷することができなかった。一般的なアプリケーションでは、印刷時にプリンタードライバーを利用するが、その際には、ＯＳにより提供される所定のインターフェース（グラフィックエンジン）を利用する。そうしたインターフェースでは、グレースケールやＲＧＢ等の画像しか扱えないという入力制限がある。そのため、プリンタードライバーでは特殊色による版を重ねて印刷することができなかった。一方、特殊色による版を重ねて印刷するには、上述したように印刷専門アプリケーションが必要となるため、コストが嵩むという問題があった。
【０００６】
本発明は、印刷専門アプリケーションを用いることなく、異なる分版方式で作成した分版データを重ねて印刷することを主目的とする。
【課題を解決するための手段】
【０００７】
本発明は、上述の主目的を達成するために以下の手段を採った。
【０００８】
本発明の情報処理装置は、
アプリケーションソフトウェアから１ページ目と２ページ目とを含む印刷対象データを受け取るデータ受け取り手段と、
前記印刷対象データの１ページ目を第１分版方式で分版して第１分版データを作成し、前記印刷対象データの２ページ目を第１分版方式とは異なる第２分版方式で分版して第２分版データを作成する分版手段と、
前記第１分版データと前記第２分版データとを同じ印刷媒体上に重ねて印刷させるジョブを生成するジョブ生成手段と、
を備えたものである。
【０００９】
この情報処理装置では、アプリケーションソフトウェアから受け取った１ページ目と２ページ目とを含む印刷対象データにつき、１ページ目を第１分版方式で分版して第１分版データを作成し、２ページ目を第１分版方式とは異なる第２分版方式で分版して第２分版データを作成する。そして、第１分版データと第２分版データとを同じ印刷媒体上に重ねて印刷させる。このため、印刷専門アプリケーションを用いることなく、異なる分版方式で作成した分版データを重ねて印刷することができる。
【００１０】
本発明の情報処理装置において、前記分版手段は、前記第１分版方式及び前記第２分版方式の一方を予めユーザーが選択した特殊色で分版する方式とし、前記第１分版方式及び前記第２分版方式の残りの一方をモノクロ又はカラーで分版する方式としてもよい。こうすれば、特殊色による版と非特殊色による版とを重ねて印刷することができる。この場合、ジョブを受け取る印刷装置は、特殊色のインクの入った容器や非特殊色のインクの入った容器を備えたものを使用する。例えば、特殊色がホワイト、非特殊色がシアン、マゼンタ、イエローだとすると、ホワイトインク、シアンインク、マゼンタインク、イエローインクをそれぞれ個別に収容した容器を備えたものを使用する。なお、特殊色としては、ホワイト、メタリック、無色透明のほか、企業や団体等の組織を象徴する色（コーポレートカラー）などが挙げられる。
【００１１】
本発明の情報処理装置において、前記ジョブ生成手段は、前記第１分版データと前記第２分版データとを同じ印刷媒体上に予め印刷設定画面でユーザーが設定した順番で重ねて印刷させるジョブを生成してもよい。こうすれば、ユーザーの意思により１ページ目の上に２ページ目を重ねて印刷するか２ページ目の上に１ページ目を重ねて印刷するかを決定することができる。
【００１２】
本発明の情報処理装置において、前記ジョブ生成手段は、前記第１分版データと前記第２分版データとを同時に同じ印刷媒体上に印刷させるジョブを生成してもよい。こうすれば、印刷媒体に対して１度の印刷動作を実行することにより、１ページ目と２ページ目とを重ねて印刷した印刷物が得られる。あるいは、前記ジョブ生成手段は、前記第１分版データ及び前記第２分版データの一方を印刷媒体上に印刷したあと該印刷媒体をバックフィードし、その後前記第１分版データ及び前記第２分版データの残りの一方を前記印刷媒体に重ねて印刷させるジョブを生成してもよい。こうすれば、印刷媒体に対して２度の印刷動作を実行することにより、１ページ目と２ページ目とを重ねて印刷した印刷物が得られる。
【００１３】
本発明のプログラムは、１又は複数のコンピューターを、上述した情報処理装置の各手段として機能させるためのプログラムである。このプログラムは、コンピューターが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピューターから別のコンピューターへ配信されてもよいし、その他どのような形で授受されてもよい。このプログラムを一つのコンピューターに実行させるか又は複数のコンピューターに各ステップを分担して実行させれば、上述した情報処理装置と同様の効果を得ることができる。
【図面の簡単な説明】
【００１４】
【図１】印刷システム１の構成の概略を示す構成図。
【図２】印刷設定画面１５０の説明図。
【図３】印刷データ生成ルーチンのフローチャート。
【図４】印刷物が得られるまでの手順を示す説明図。
【発明を実施するための形態】
【００１５】
次に、本発明の実施の形態を図面に基づいて説明する。図１は、ユーザーＰＣ１０とインクジェットプリンター２０とを含む印刷システム１の構成の概略を示す構成図である。
【００１６】
ユーザーＰＣ１０は、インクジェットプリンター２０とデータのやり取りが可能に接続され、ＣＰＵ１１を中心とするマイクロプロセッサーとして構成されており、処理プログラムを記憶したＲＯＭ１２と、一時的にデータを記憶するＲＡＭ１３と、インクジェットプリンター２０のプリンタードライバー１４ａやワープロなどのアプリケーションソフトウェア１４ｂなどがインストールされたＨＤＤ１４と、を備える。プリンタードライバー１４ａには、ＨＤＤ１４などに記憶されたＲＧＢデータからなる画像データを受け取って色変換し、その色変換後のデータの階調値を表現するためにインクドットを分散して形成するハーフトーン処理を実行し、ハーフトーン処理されたデータをインクジェットプリンター２０に転送すべきデータ順に並べ替え、並べ替えた後の印刷データをインクジェットプリンター２０へ転送するプログラムが含まれる。また、アプリケーションソフトウェア１４ｂとしては、例えば、マイクロソフト社のワードやアドビ社のアクロバットなどがある。こうしたユーザーＰＣ１０には、各種の情報を表示するディスプレイ１５が接続されているほか、ユーザーが文字や記号などをユーザーＰＣ１０に入力するためのキーボード１６やマウス１７が接続されている。
【００１７】
インクジェットプリンター２０は、用紙Ｐを副走査方向（図１で奥から手前の方向）に搬送する紙送り機構４１と、紙送り機構４１によりプラテン４６上に搬送された用紙Ｐに対して主走査方向（図１で左右の方向）の移動を伴って印刷ヘッド２４に形成されたノズルからインク滴を吐出して印刷を行なうプリンター機構２１と、装置全体をコントロールするコントローラー６０と、を備える。プラテン４６の主走査方向一端（図１で右端）には、印刷ヘッド２４のノズル面を封止するキャッピング装置５０が設置されており、プラテン４６の主走査方向他端（図１で左端）には、ノズルの目詰まりを防止するために定期的に印刷ヘッド２４のノズルからインク滴を吐出するフラッシングを行なうためのフラッシングエリア４８が設けられている。
【００１８】
プリンター機構２１は、キャリッジガイド２８によりガイドされながら主走査方向に往復動可能なキャリッジ２２と、キャリッジガイド２８の一端側と他端側にそれぞれ設置されたキャリッジモーター３４および従動ローラー３５と、キャリッジモーター３４と従動ローラー３５とに掛け渡されると共にキャリッジ２２に取り付けられたキャリッジベルト３２と、キャリッジ２２に搭載され溶媒としての水に顔料粒子を分散させたシアン（Ｃ），マゼンタ（Ｍ），イエロー（Ｙ），ブラック（Ｋ），ホワイト（Ｗ）の各色のインクを貯留し各色毎に独立して交換が可能なインクカートリッジ２６と、インクカートリッジ２６からそれぞれ供給された各インクに加圧してインク滴を吐出する複数のノズルが形成された印刷ヘッド２４と、を備える。本実施形態では、Ｗを特殊色、Ｃ，Ｍ，Ｙ，Ｋを非特殊色とする。インクの加圧は、圧電素子に電圧を印加してこの圧電素子を変形させることにより行う。キャリッジ２２は、キャリッジモーター３４によりキャリッジベルト３２を駆動することにより、主走査方向に往復動されるようになっている。なお、キャリッジ２２の背面側には、キャリッジ２２の主走査方向における位置を検出するキャリッジポジションセンサー３６が取り付けられている。このキャリッジポジションセンサー３６は、フレーム５８にキャリッジガイド２８に沿って配置されたリニア式の光学スケール３６ａと、光学スケール３６ａに対向するようキャリッジ２２の背面に取り付けられ光学スケール３６ａを光学的に読み取る光学センサー３６ｂとにより構成されている。
【００１９】
紙送り機構４１は、用紙Ｐをプラテン４６上に搬送させる搬送ローラー４２と、搬送ローラー４２を回転駆動する搬送モーター４４と、を備える。搬送モーター４４は、その回転軸に回転量を検出するロータリーエンコーダー４９が取り付けられており、ロータリーエンコーダー４９からの回転量に基づいて駆動制御されている。なお、ロータリーエンコーダー４９は、図示しないが、所定回転角間隔で目盛りが付されたロータリースケールと、ロータリースケールの目盛りを読み取るためのロータリースケールセンサーとにより構成されている。
【００２０】
キャッピング装置５０は、印刷ヘッド２４をキャッピング装置５０に対向する位置（いわゆるホームポジション）に移動させた状態でノズル面を封止することによりノズル内のインクの乾燥を防止したり、ノズル面を封止した状態でノズル内のインクを吸引することにより印刷ヘッド２４をクリーニングしたりする。キャッピング装置５０は、印刷ヘッド２４のノズル面を密閉するために上方が開口された略直方体のキャップ５１の他に、キャップ５１の底部に接続されたチューブ（図示せず）や、チューブに取り付けられた吸引ポンプ（図示せず）などを備えている。このキャッピング装置５０は、印刷ヘッド２４をクリーニングする場合には、キャップ５１により印刷ヘッド２４のノズル面を封止した状態で吸引ポンプを駆動することにより、印刷ヘッド２４のノズル面とキャップ５１とにより形成される内部空間を負圧とし、ノズル内のインクを強制的に吸引する。
【００２１】
コントローラー６０は、図示しないＣＰＵを中心とするマイクロプロセッサーとして構成されており、各種のプログラムを実行したりデータを記憶したりする機能を有する。このコントローラー６０には、キャリッジポジションセンサー３６からのキャリッジ２２の位置や、ロータリーエンコーダー４９からの搬送ローラー４２の回転量が入力され、コントローラー６０からは印刷ヘッド２４への駆動信号や搬送モーター４４への駆動信号，キャリッジモーター３４への駆動信号，吸引ポンプへの駆動信号などが出力される。また、コントローラー６０は、ユーザーＰＣ１０からの印刷指示や印刷データを受け付けたりする。なお、コントローラー６０には、印刷バッファー領域が設けられており、ユーザーＰＣ１０から印刷データが受け付けられると、受け付けた印刷データは印刷バッファー領域に記憶される。
【００２２】
次に、こうして構成された本実施形態の印刷システム１のユーザーＰＣ１０の動作、特に、連続する奇数ページと偶数ページとを同じ用紙に重ねて印刷する重ね印刷を行う場合の動作について説明する。
【００２３】
重ね印刷を行う場合、ユーザーは、事前に図２に示す印刷設定画面１５０で重ね印刷を選択しておく必要がある。この点について以下に説明する。
【００２４】
ユーザーがキーボード１６やマウス１７を操作してインクジェットプリンター２０のプリンタードライバー１４ａを呼び出すと、ユーザーＰＣ１０のＣＰＵ１１は、図２に示す印刷設定画面１５０をディスプレイ１５に表示する。印刷設定画面１５０には、基本設定タブ１５２とページ設定タブ１５４とが表示される。基本設定タブ１５２では、図示しないが、用紙種類や印刷品質、カラー、給紙方法、用紙サイズなどをユーザーが設定することができる。なお、カラーの選択肢としては、例えばフルカラー、グレースケールなどがある。
【００２５】
一方、ページ設定タブ１５４には、図２に示すように、印刷方向を縦か横のいずれかに設定する印刷方向設定欄１５４ａと、印刷部数を数値入力する部数入力欄１５４ｂと、用紙サイズや出力用紙を選択設定するレイアウト設定欄１５４ｃと、重ね印刷機能を利用して印刷するか否かを設定する重ね印刷指定欄１５４ｄとが設けられている。このうち、重ね印刷指定欄１５４ｄには、「重ね印刷」という文字列の前に配置されたチェックボックス１５４ｅと、「奇数ページに偶数ページを重ねる」という文字列の前に配置された第１ラジオボタン１５４ｆと、「偶数ページに奇数ページを重ねる」という文字列の前に配置された第２ラジオボタン１５４ｇとが表示されている。
【００２６】
本実施形態では、奇数ページに偶数ページを重ねて印刷する場合、奇数ページは特殊色であるホワイト（Ｗ）で分版し、偶数ページは非特殊色であるシアン（Ｃ）、マゼンタ（Ｍ）、イエロー（Ｙ）、ブラック（Ｋ）の各色ごとに分版し、それらの分版したデータに基づいて奇数ページの上に偶数ページを重ねるように印刷するものとする。偶数ページに奇数ページを重ねて印刷する場合、偶数ページは特殊色であるホワイト（Ｗ）で分版し、奇数ページは非特殊色であるシアン（Ｃ）、マゼンタ（Ｍ）、イエロー（Ｙ）、ブラック（Ｋ）の各色ごとに分版し、それらの分版したデータに基づいて偶数ページの上に奇数ページを重ねるように印刷するものとする。
【００２７】
ユーザーがチェックボックス１５４ｅにチェックを入力していないときには、第１及び第２ラジオボタン１５４ｆ，１５４ｇはグレーアウトされて選択不能となり、ユーザーがチェックボックス１５４ｅにチェックを入力したときには、第１及び第２ラジオボタン１５４ｆ，１５４ｇはグレーアウトが解除されて選択可能となる。ユーザーは、印刷設定画面１５０における入力作業が終了すると、ＯＫボタン１５４ｈをクリックする。すると、ユーザーＰＣ１０のＣＰＵ１１は、印刷設定画面１５０でユーザーが設定した内容をＲＡＭ１３に一時記憶すると共に、印刷設定画面１５０をディスプレイ１５から消去する。
【００２８】
次に、ユーザーＰＣ１０のＣＰＵ１１によって実行される印刷データ生成ルーチンについて説明する。図３は、このルーチンの一例を示すフローチャートである。このルーチンは、複数のページにわたるドキュメントを１つのファイルとして管理するアプリケーションソフトウェア１４ｂの起動中に、ユーザーがそうしたファイルの印刷指令をキーボード１６やマウス１７を使って選択したときに開始される。
【００２９】
図３の印刷データ生成ルーチンが開始されると、ユーザーＰＣ１０のＣＰＵ１１は、まず、アプリケーションソフトウェア１４ｂからファイルに含まれる複数のページの印刷対象データを受け取る（ステップＳ１００）。ここでは、受け取った印刷対象データはＲＧＢデータ（各色は０〜２５５の階調値で表されている）であるとする。
【００３０】
続いて、ＣＰＵ１１は、ＲＡＭ１３から印刷設定画面１５０でユーザーが設定した内容を読み出す（ステップＳ１０２）。そして、重ね印刷が選択されているか否かを、印刷設定画面１５０で「重ね印刷」の前に配置されたチェックボックス１５４ｅがチェックされたか否かによって判定する（ステップＳ１０４）。重ね印刷が選択されていなければ、通常の手順で印刷データを生成し（ステップＳ１０６）、その印刷データをインクジェットプリンター２０へ出力し（ステップＳ１２２）、本ルーチンを終了する。通常の手順で印刷データを生成する場合、アプリケーションソフトウェア１４ｂから受け取ったページ単位のＲＧＢデータを色変換ＬＵＴ（ルックアップテーブル）を用いてＣ，Ｍ，Ｙ，Ｋの各色に分版し、分版したデータの階調値を表現するためにインクドットを分散して形成するハーフトーン処理を実行し、ハーフトーン処理されたデータをインクジェットプリンター２０に転送すべきデータ順に並べ替えることにより、１ページ目から順に印刷データを生成する。この印刷データをインクジェットプリンター２０へ送ると、インクジェットプリンター２０は１ページ目から順に各用紙に印刷を行う。つまり、１〜１０ページ目までの印刷データが送られてきた場合には、１０枚の用紙に印刷を行うことになる。
【００３１】
一方、ステップＳ１０４で重ね印刷が選択されていたならば、連続する奇数ページと偶数ページとの重ね方を確認する（ステップＳ１０８）。ここでは、印刷設定画面１５０で「奇数ページに偶数ページを重ねる」という文字列の前に配置された第１ラジオボタン１５４ｆが選択されたか、「偶数ページに奇数ページを重ねる」という文字列の前に配置された第２ラジオボタン１５４ｇが選択されたかによって、重ね方を確認する。そして、第１ラジオボタン１５４ｆが選択されていた、つまり、奇数ページに偶数ページを重ねるという重ね方が選択されていたならば、奇数ページを特殊色であるＷで分版し、分版したデータの階調値を表現するためにインクドットを分散して形成するハーフトーン処理を実行し、ハーフトーン処理後のデータをＲＡＭ１３に一時記憶する（ステップＳ１１０）。続いて、偶数ページを非特殊色であるＣ，Ｍ，Ｙ，Ｋの各色で分版し、分版したデータの階調値を表現するためにインクドットを分散して形成するハーフトーン処理を実行し、ハーフトーン処理後のデータをＲＡＭ１３に一時記憶する（ステップＳ１１２）。そして、連続する奇数ページと偶数ページ（例えば１ページ目と２ページ目、３ページ目と４ページ目等）につき、奇数ページのハーフトーン処理後のデータに偶数ページのハーフトーン処理後のデータを重ねて印刷する印刷データを生成し（ステップＳ１１４）、生成した印刷データをインクジェットプリンター２０に出力し（ステップＳ１２２）、本ルーチンを終了する。ここでは、印刷データとして、連続する奇数ページと偶数ページにつき奇数ページの印刷データと偶数ページの印刷データとを別々に作成する。そして、インクジェットプリンター２０に対して、これらの印刷データと共に、連続する奇数ページと偶数ページにつき、奇数ページの印刷データを印刷したあとその用紙をバックフィードして再度同じ用紙に偶数ページの印刷データを印刷するという重ね印刷の指令を出力する。
【００３２】
例えば、アプリケーションソフトウェア１４ｂからのファイルには、図４（ａ）に示すように、１ページ目に白紙データ、２ページ目に写真データが含まれていたとする。その場合、印刷データは、図４（ｂ）に示すように、１ページ目は、Ｗで分版されるため、Ｗのインクドットを用紙の全面に吐出して形成される印刷データとなる。また、２ページ目は、Ｃ，Ｍ，Ｙ，Ｋの各色で分版されるため、各色のインクドットを吐出して形成される印刷データとなる。そして、１ページ目のＷのインクを用紙の全面に吐出したあと、その用紙をバックフィードして再度同じ用紙に２ページ目のＣ，Ｍ，Ｙ，Ｋの各色のインクを吐出することにより、図４（ｃ）に示す印刷物を得る。つまり、用紙の全面を白色で印刷したあとその同じ用紙にカラー画像を印刷することになるため、得られた印刷物の白さが鮮やかに際だつようになる。
【００３３】
一方、ステップＳ１０８で第２ラジオボタン１５４ｇが選択されていた、つまり、偶数ページに奇数ページを重ねるという重ね方が選択されていたならば、偶数ページを特殊色であるＷで分版し、分版したデータの階調値を表現するためにインクドットを分散して形成するハーフトーン処理を実行し、ハーフトーン処理後のデータをＲＡＭ１３に一時記憶する（ステップＳ１１６）。続いて、奇数ページを非特殊色であるＣ，Ｍ，Ｙ，Ｋの各色で分版し、分版したデータの階調値を表現するためにインクドットを分散して形成するハーフトーン処理を実行し、ハーフトーン処理後のデータをＲＡＭ１３に一時記憶する（ステップＳ１１８）。そして、連続する奇数ページと偶数ページにつき、偶数ページのハーフトーン処理後のデータに奇数ページのハーフトーン処理後のデータを重ねて印刷する印刷データを生成し（ステップＳ１２０）、生成した印刷データをインクジェットプリンター２０に出力し（ステップＳ１２２）、本ルーチンを終了する。ここでも、印刷データとして、連続する奇数ページと偶数ページにつき奇数ページの印刷データと偶数ページの印刷データとを別々に作成する。そして、インクジェットプリンター２０に対して、これらの印刷データと共に、連続する奇数ページと偶数ページにつき、偶数ページの印刷データを印刷したあとその用紙をバックフィードして再度同じ用紙に奇数ページの印刷データを印刷するという重ね印刷の指令を出力する。
【００３４】
ここで、本実施形態の構成要素と本発明の構成要素との対応関係を明らかにする。本実施形態のユーザーＰＣ１０（プリンタードライバー１４ａがインストールされたユーザーＰＣ１０）が本発明の情報処理装置に相当し、ＣＰＵ１１がデータ受け取り手段、分版手段、ジョブ生成手段に相当する。
【００３５】
以上説明した本実施形態のユーザーＰＣ１０によれば、アプリケーションソフトウェア１４ｂから受け取った１ページ目と２ページ目とを含む印刷対象データにつき、１ページ目を特殊色であるＷで分版して分版データを作成し、２ページ目を非特殊色であるＣ，Ｍ，Ｙ，Ｋの各色で分版して分版データを作成する。そして、両分版データとを同じ印刷媒体上に重ねて印刷させる。このため、印刷専門アプリケーションを用いることなく、異なる分版方式で作成した分版データを重ねて印刷することができる。
【００３６】
また、予め印刷設定画面１５０でユーザーが設定した順番で１ページ目と２ページ目とを重ねて印刷させるジョブを作成するため、ユーザーの意思により１ページ目の上に２ページ目を重ねて印刷するか２ページ目の上に１ページ目を重ねて印刷するかを決定することができる。
【００３７】
更に、１ページ目（又は２ページ目）を用紙上に印刷したあと該用紙をバックフィードし、その後２ページ目（又は１ページ目）を同じ用紙に重ねて印刷するためのジョブを生成するため、用紙に対して２度の印刷動作を実行することにより、１ページ目と２ページ目とを重ねて印刷した印刷物が得られる。
【００３８】
なお、本発明は上述した実施形態に何ら限定されることはなく、本発明の技術的範囲に属する限り種々の態様で実施し得ることはいうまでもない。
【００３９】
例えば、上述した実施形態では、特殊色をＷ、非特殊色をＣ，Ｍ，Ｙ，Ｋのカラーとして説明したが、特殊色をメタリック色や無色透明、コーポレートカラーなどとしてもよい。メタリック色の場合には、そのメタリック色のインクをインクカートリッジ２６に加え、メタリック色で色分版されたデータについてはそのメタリック色のインクで画像を形成する。無色透明の場合には、その透明インク（例えばグロスオプティマイザー）をインクカートリッジ２６に加え、無色透明で色分版されたデータについてはその透明インクで画像を形成する。コーポレートカラーの場合には、そのコーポレートカラーをインクカートリッジ２６に加え、コーポレートカラーで色分版されたデータについてはそのインクで画像を形成する。また、カラー画像の場合には、非特殊色にＣ，Ｍ，Ｙ，Ｋのほかにライトシアンやライトマゼンタなどを含めてもよく、モノクロ画像の場合には、非特殊色をブラック（グレースケール）としてもよい。
【００４０】
上述した実施形態では、図４に示すように、１ページ目が白紙データの場合、その１ページ目をＷで分版してＷのインクドットを用紙の全面に吐出することとしたが、用紙の全面ではなく、Ｗのインクドットを２ページ目でドットが形成されない部分（つまり白地部分）に吐出するようにしてもよい。
【００４１】
上述した実施形態では、１ページ目（又は２ページ目）を用紙上に印刷したあと該用紙をバックフィードし、その後２ページ目（又は１ページ目）を同じ用紙に重ねて印刷するためのジョブを生成したが、次のようなジョブを生成してもよい。すなさち、１ページ目（又は２ページ目）の上に２ページ目（又は１ページ目）を重ねたジョブ、つまり両ページの分版データを同時に同じ用紙上に印刷するためのジョブを生成してもよい。こうすれば、用紙に対して１度の印刷動作を実行することにより、１ページ目と２ページ目とを重ねて印刷した印刷物が得られる。
【００４２】
上述した実施形態では、ユーザーＰＣ１０のＣＰＵ１１及びプリンタードライバー１４ａが印刷データ生成ルーチンを実行するようにしたが、インクジェットプリンター２０のコントローラー６０が印刷データ生成ルーチンを実行するようにしてもよい。この場合、インクジェットプリンター２０が本発明の情報処理装置に相当し、プリンタードライバー１４ａやアプリケーションソフトウェア１４ｂと同様のプログラムがコントローラー６０の内部メモリ（ＲＯＭなど）に格納されることになる。こうしても、上述した実施形態と同様の効果が得られる。
【００４３】
上述した実施形態では、印刷ヘッド２４として、圧電素子に電圧を印加することによりこの圧電素子を変形させてインクを加圧する方式を採用するものとしたが、発熱抵抗体（例えばヒーターなど）に電圧を印加することによりインクを加熱して発生した気泡によりインクを加圧する方式を採用するものとしてもよい。
【符号の説明】
【００４４】
１  印刷システム、１０  ユーザーＰＣ、１１  ＣＰＵ、１２  ＲＯＭ、１３  ＲＡＭ、１４  ＨＤＤ、１４ａ  プリンタードライバー、１４ｂ  アプリケーションソフトウェア、１５  ディスプレイ、１６  キーボード、１７  マウス、２０  インクジェットプリンター、２１  プリンター機構、２２  キャリッジ、２４  印刷ヘッド、２６  インクカートリッジ、２８  キャリッジガイド、３２  キャリッジベルト、３４  キャリッジモーター、３５  従動ローラー、３６  キャリッジポジションセンサー、３６ａ  光学スケール、３６ｂ  光学センサー、４１  紙送り機構、４２  搬送ローラー、４４  搬送モーター、４６  プラテン、４８  フラッシングエリア、４９  ロータリーエンコーダー、５０  キャッピング装置、５１  キャップ、５８  フレーム、６０  コントローラー、１５０  印刷設定画面、１５２  基本設定タブ、１５４  ページ設定タブ、１５４ａ  印刷方向設定欄、１５４ｂ  部数入力欄、１５４ｃ  レイアウト設定欄、１５４ｄ  重ね印刷指定欄、１５４ｅ  チェックボックス、１５４ｆ  第１ラジオボタン、１５４ｇ  第２ラジオボタン、１５４ｈ  ＯＫボタン
【図１】
2013114385.tif 000003
【図２】
2013114385.tif 000004
【図３】
2013114385.tif 000005
【図４】
2013114385.tif 000006